(57)【要約】
【課題】人の手を借りることなく、周囲からの羞恥を感ずることなく、自らが楽に排泄を行うことができる便器付き療養ベットを提供する。
【解決手段】平面視して長方形状からなるベット基台１１に着座式便器１２を備える便器付き療養ベット１０であって、ベット基台１１が長手方向で分割できる第１と第２の基台１３、１４からなり、第１の基台１３が固定して設置でき、第２の基台１４が一定方向に移動できるようにすると共に、第１と第２の基台１３、１４の間に形成される開口部１５に、着座面１２ａをベット基台１１の上面より下方に設ける着座式便器１２が第１の基台１３に接続して備えられており、しかも、ベット基台１１の上面と着座面１２ａとの間に傾斜面を有する滑り台１６を備え、滑り台１６の左右両端部に手摺り１７を備えている。
【選択図】図１
0003099386.tif 000002
【実用新案登録請求の範囲】
【請求項１】
　平面視して実質的に長方形状からなるベット基台に着座式便器を備える便器付き療養ベットであって、
　前記ベット基台が前記長方形状の長手方向で矩形状に分割できる第１の基台と第２の基台からなり、前記第１の基台が固定して設置でき、前記第２の基台が一定方向に移動できるようにすると共に、前記第１の基台と前記第２の基台の間に形成される開口部に、着座面を前記ベット基台の上面より下方に設ける前記着座式便器が前記第１の基台に接続して備えられており、しかも、前記ベット基台の上面と前記着座面との間に傾斜面を有する滑り台を備え、該滑り台の左右両端部に該滑り台を昇降するための手摺りを備えていることを特徴とする便器付き療養ベット。
【請求項２】
　請求項１記載の便器付き療養ベットにおいて、前記第１の基台と前記第２の基台の間に開口部がある時に、前記第１の基台の側面及び／又は前記第２の基台の側面から延設できる、前記着座式便器を外部から遮蔽するための着脱自在からなる遮蔽体が設置されていることを特徴とする便器付き療養ベット。
【請求項３】
　請求項１又は２記載の便器付き療養ベットにおいて、前記第２の基台の上面端部に該第２の基台を移動させるための取っ手を有すると共に、前記着座式便器と対向する前記第２の基台の側面内部に、排泄後始末用品が設置され、しかも、前記着座式便器の不要時には前記第１の基台と前記第２の基台は相互で離間しないロック機構を備えていることを特徴とする便器付き療養ベット。
【請求項４】
　請求項１〜３のいずれか１項記載の便器付き療養ベットにおいて、前記第２の基台が一定方向に移動することができるためのレール上に設置されていることを特徴とする便器付き療養ベット。
【考案の詳細な説明】
【技術分野】
【０００１】
　本考案は、病人や老人が周囲に気を使うことなく楽な姿勢で排泄行為を行うことができる便器付き療養ベットに関する。
【背景技術】
【０００２】
　歩行が困難な病人や、足の不自由な老人は、排泄を行いたくなった時に、ベットから降りて自由に移動できないので、付添いや、看護士等にお願いし、尿瓶や便器を尻等に宛がってもらって排泄を行っている。また、療養ベットには、ベットの床に何らかの仕様で空間を設けて、この空間と便器とを組み合わせたものが存在し、歩行が困難な病人や、足の不自由な老人は、臥した状態や、上半身を起こした状態で排泄を行っている。
【０００３】
　便器付療養ベットの中には、歩行が困難な病人や、足の不自由な老人が床に臥した状態の時に腰に当たる部分に対して、頭及び背中に当たる部分を上方に折り曲げることができ、且つ足に当たる部分は、腰に当たる部分に対して摺動できるようにすると共に、腰に当たる部分には、ベットの床に人の尻の幅より小さい貫通孔からなる空間を設けているものが提案されている（例えば、特許文献１参照）。
【特許文献１】特開平１０−２４３９６９号公報
【考案の開示】
【考案が解決しようとする課題】
【０００４】
　しかしながら、前述したような従来の便器付き療養ベットは、未だ解決すべき次のような問題がある。
　（１）尿瓶や便器を尻等に宛がうのは、不自然な形になるので、排泄が順調に行うことができない。また、尿瓶や便器を尻等に宛がうのに、病人や、老人を持ち上げる必要があり、付添いや、看護士等の大きな負担となっている。
　（２）ベットの床に貫通孔を設けた所に、臥した状態や、上半身を起こした状態で排泄を行うのは、排泄のための力が得られないので、楽な排泄を行うことができない。また、ベットの床に貫通孔を設けているので、排泄によって床を汚染することがあり、その都度の頻繁なマットの洗浄が必要となり、付添いや、看護士等の大きな負担となっている。
　（３）尿瓶や便器を尻等に宛がってもらったり、ベットの床の貫通孔に排泄を行うのは、周囲から排泄行為が見られるので、病人や、老人にとっては、羞恥による精神的苦痛が大きい。
　本考案は、かかる事情に鑑みてなされたものであって、人の手を借りることなく、周囲からの羞恥を感ずることなく、自らが楽に排泄を行うことができる便器付き療養ベットを提供することを目的とする。
【課題を解決するための手段】
【０００５】
　前記目的に沿う本考案に係る便器付き療養ベットは、平面視して実質的に長方形状からなるベット基台に着座式便器を備える便器付き療養ベットであって、ベット基台が長方形状の長手方向で矩形状に分割できる第１の基台と第２の基台からなり、第１の基台が固定して設置でき、第２の基台が一定方向に移動できるようにすると共に、第１の基台と第２の基台の間に形成される開口部に、着座面をベット基台の上面より下方に設ける着座式便器が第１の基台に接続して備えられており、しかも、ベット基台の上面と着座面との間に傾斜面を有する滑り台を備え、滑り台の左右両端部に滑り台を昇降するための手摺りを備えている。
【０００６】
　ここで、便器付き療養ベットは、第１の基台と第２の基台の間に開口部がある時に、第１の基台の側面及び／又は第２の基台の側面から延設できる、着座式便器を外部から遮蔽するための着脱自在からなる遮蔽体が設置されているのがよい。
　また、便器付き療養ベットは、第２の基台の上面端部に第２の基台を移動させるための取っ手を有すると共に、着座式便器と対向する第２の基台の側面内部に、排泄後始末用品が設置され、しかも、着座式便器の不要時には第１の基台と第２の基台は相互で離間しないロック機構を備えているのがよい。
　更に、便器付き療養ベットは、第２の基台が一定方向に移動することができるためのレール上に設置されているのがよい。
【考案の効果】
【０００７】
　請求項１及びこれに従属する請求項２〜４のいずれか１項記載の便器付き療養ベットは、ベット基台に着座式便器を備える便器付き療養ベットであって、ベット基台が第１の基台と第２の基台からなり、第１の基台が固定して設置でき、第２の基台が一定方向に移動できるようにすると共に、第１の基台と第２の基台の間に形成される開口部に、着座面をベット基台の上面より下方に設ける着座式便器が第１の基台に接続して備えられており、しかも、ベット基台の上面と着座面との間に傾斜面を有する滑り台を備え、滑り台の左右両端部に手摺りを備えているので、尿瓶や便器を尻に宛がうことなく排泄でき、付添いや、看護士等への負担を軽減できる。また、着座して排泄でき、足の踏ん張りによって排泄のための力が得られるので、楽な排泄ができる。また、排泄によるベットの床を汚染することなくマットの洗浄の必要がないので、付添いや、看護士等への負担を軽減できる。更に、周囲から排泄行為が見られるのを少なくできるので、羞恥による精神的苦痛を軽減することができる。
【０００８】
　特に、請求項２記載の便器付き療養ベットは、第１の基台と第２の基台の間に開口部がある時に、第１及び／又は第２の基台の側面から延設できる、着座式便器を外部から遮蔽するための着脱自在からなる遮蔽体が設置されているので、周囲から排泄行為が見られるのを遮蔽でき、羞恥による精神的苦痛をなくすことができる。
　また、請求項３記載の便器付き療養ベットは、第２の基台の上面端部に第２の基台を移動させるための取っ手を有すると共に、着座式便器と対向する第２の基台の側面内部に、排泄後始末用品が設置され、しかも、着座式便器の不要時には第１の基台と第２の基台は相互で離間しないロック機構を備えているので、病人や老人であっても容易に第１の基台と第２の基台を離間させることができ、排泄後は近くにある後始末用品を使用して容易に後始末を行うことができる。また、着座式便器の不要時には、第１の基台と第２の基台を確実にロックするので、病人や、老人は、ベットの床に安全に臥すことができる。
　更に、請求項４記載の便器付き療養ベットは、第２の基台が一定方向に移動することができるためのレール上に設置されているので、第２の基台を正確に移動させることができる。
【考案を実施するための最良の形態】
【０００９】
　続いて、添付した図面を参照しつつ、本考案を具体化した実施するための最良の形態について説明し、本考案の理解に供する。
　ここに、図１は本考案の一実施の形態に係る便器付き療養ベットの実施例１の斜視説明図、図２は同便器付き療養ベットの実施例２の斜視説明図、図３（Ａ）、（Ｂ）はそれぞれ同便器付き療養ベットの実施例３の斜視説明図、図４は同便器付き療養ベットの実施例４の斜視説明図である。
【実施例１】
【００１０】
　図１に示すように、本考案の一実施の形態に係る便器付き療養ベット１０は、平面視して通常の人間が余裕をもって臥すことができる金属製や、木製等からなる実質的に長方形状のベット基台１１であって、このベット基台１１には、着座式便器１２を備えている。ベット基台１１は、長方形状の長手方向で病人や、老人等がベット上に臥した時に腰に当たる部分あたりで２つに分割できる実質的に矩形状の第１の基台１３と第２の基台１４から構成されている。
【００１１】
　第１の基台１３は、室内の床や、壁面等に固定して設置できるようになっており、第２の基台１４は、第１の基台１３との分割面どうしを平行に保って、第１の基台１３の分割面に対して垂直方向に第１の基台１３から離れたり、第１の基台１３に接続できるように移動ができるようになっている。第２の基台１４が第１の基台１３から離れた時に形成される第１の基台１３と第２の基台１４の間の開口部１５には、第１の基台１３の分割面の中央部分に接続して着座式便器１２が備えられている。この着座式便器１２は、着座式便器１２の着座面１２ａがベット基台１１の基台上面より、例えば、５〜３０ｃｍ程度下方になるように設置されている。そして、ベット基台１１の基台上面と、着座式便器１２の着座面１２ａとの間は、傾斜面、例えば、１５〜６０度程度の角度を有する滑り台１６を備えている。また、滑り台１６の左右の両端部には、病人や、老人等が滑り台１６を昇降するための手摺り１７を備えている。
【００１２】
　なお、着座式便器１２は、配管等が設置された水洗式や、ワォシュレット式、あるいは、着脱自在の簡易式等のものであってもよく、方式を限定するものではなく、自由に選択できる。
　第１の基台１３は、病人や、老人等が上半身を楽に起き上がられることができるための、第１の基台１３上に載置されているマット１８が腰部分で、手動式、又は自動式に屈折させることができるリクライニング機構を備えたものであってもよい。また、マット１８は、滑り台１６との境界部分の段差を少なくするために、マット１８の端部に傾斜を持たせたものであってもよい。
【実施例２】
【００１３】
　図２に示すように、本考案の一実施の形態に係る変形例の便器付き療養ベット１０ａは、前記実施例１と基本的には同一のものであるので、異なる部分のみ説明する。
　便器付き療養ベット１０ａは、第１の基台１３と第２の基台１４との間に開口部１５ができた時に、第１の基台１３の側面及び／又は第２の基台１４の側面から延設できる着脱自在からなる遮蔽体１９を備えている。この遮蔽体１９は、例えば、布製や、折畳式木製等からなるカーテン状のものであればよく、病人や、老人等が着座式便器１２に着座して排泄を行う時に、着座式便器１２を外部から遮蔽して排泄行為を隠してくれるので、外部から見られることによる羞恥をなくすことができる。また、遮蔽体１９は、着脱自在となっているので、付添いや、看護士等の開口部１５への出入りが自由にできる。
【実施例３】
【００１４】
　図３（Ａ）、（Ｂ）に示すように、本考案の一実施の形態に係る他の変形例の便器付き療養ベット１０ｂは、前記実施例１又は２と基本的には同一のものであるので、異なる部分のみ説明する。
　便器付き療養ベット１０ｂは、第２の基台１４の上面端部に第２の基台１４を病人や、老人等が容易に移動させることができるための取っ手２０を備えている。また、着座式便器１２と対向する第２の基台１４の側面内部には、病人や、老人等が排泄を行った後に後始末を行うための、例えば、トイレットペーパー２１や、ウェットティッシュ２２等の排泄後後始末用品が設置されている。そして、着座式便器１２が使用されない時には、第１の基台１３と第２の基台１４が相互で離間しないための、例えば、鉤２３とピン２４等からなるロック機構を備えている。なお、排泄後後始末用品は、第１の基台１３と第２の基台１４の開閉時に、着座式便器１２や、滑り台１６等に引っ掛かって開閉が阻害されないように取り付けられている。
【実施例４】
【００１５】
　図４に示すように、本考案の一実施の形態に係る更に他の変形例の便器付き療養ベット１０ｃは、前記実施例１〜３のいずれか１つと基本的には同一のものであるので、異なる部分のみ説明する。
　便器付き療養ベット１０ｃは、第２の基台１４を一定方向に移動させることができるための、例えば、床の上に固定されたり、床の中に埋め込まれたり等して形成させたレール２５上に、第２の基台１４の底部に設けた、例えば、回転体や、摺動体等を載置して、第２の基台１４が移動できるようにしている。このレール２５を設けることで、病人や、老人等は、第２の基台１４を一定方向に容易に移動させることができる。
【産業上の利用可能性】
【００１６】
　本考案の便器付き療養ベットは、寝たきり等の重度の病人や、老人以外のベット上で移動ができる病人や、老人等が付添いや、看護士等の手助けを必要としないで、清潔に、周囲に気を使うことなく排泄を行うことができる。また、本考案の便器付き療養ベットは、ベットを離れて移動できない骨折等のけが人に対しても適用することができる。
【図面の簡単な説明】
【００１７】
【図１】本考案の一実施の形態に係る便器付き療養ベットの実施例１の斜視説明図である。
【図２】同便器付き療養ベットの実施例２の斜視説明図である。
【図３】（Ａ）、（Ｂ）はそれぞれ同便器付き療養ベットの実施例３の斜視説明図である。
【図４】同便器付き療養ベットの実施例４の斜視説明図である。
【符号の説明】
【００１８】
　１０、１０ａ、１０ｂ、１０ｃ：便器付き療養ベット、１１：ベット基台、１２：着座式便器、１２ａ：着座面、１３：第１の基台、１４：第２の基台、１５：開口部、１６：滑り台、１７：手摺り、１８：マット、１９：遮蔽体、２０：取っ手、２１：トイレットペーパー、２２：ウェットティッシュ、２３：鉤、２４：ピン、２５：レール
【図１】
0003099386.tif 000003
【図２】
0003099386.tif 000004
【図３】
0003099386.tif 000005
【図４】
0003099386.tif 000006